(57)【要約】【課題】本物と偽物（複写物）を区別して認識でき、高度な技術と設備等によるコスト高とはならず、本物の牽制潜像部が肉眼では視認しにくく、かつ製造にコストが嵩まないコピー牽制印刷物の提供にある。【解決手段】所定の幅ＷとピッチＰの万線パターンでなる非潜像部２０と、該非潜像部２０の任意の領域に形成される牽制潜像部とで構成されるコピー牽制印刷物１において、前記牽制潜像部１０は、万線パターンの１組２本分に掛かる複数個のルーン文字でいうＳ字状のパターン１０ａが複数列で構成され、前記非潜像部２０と１５〜２５％の同一の濃度になるように設定されている複写機による偽造防止印刷物１としたもので、前記万線パターン及びルーン文字のＳ字状等の要素の刷色が、彩度の低い濁色系の深緑色系で、さらに彩度の低い濁色系とするものである。【選択図】図１
2006205625.tif 000002
【特許請求の範囲】
【請求項１】
基材に、所定の幅とピッチの万線パターンでなる非潜像部と、該非潜像部を形成する万線パターンの任意の領域に部分的に形成されて、且つその部分は該万線パターンではない隠し模様となる牽制潜像部と、を備えたコピー牽制印刷物において、前記牽制潜像部は、非潜像部を形成する万線パターンの１組２本分に掛かるルーン文字でいうＳ字状、その逆Ｓ字状、アルファベットでいうＺ字状、Ｎ字状、逆Ｚ字状、または逆Ｎ字状の類のパターンが要素であって、該要素を成す線のうち隣り同志の線が成す角度が９０°以上であり、複数個の該要素が並べられて構成され、前記非潜像部と同一又はほぼ同一の光学濃度になるように設けてあることを特徴とするコピー牽制印刷物。
【請求項２】
前記非潜像部を形成する万線パターンおよび牽制潜像部を形成するパターンの刷色が、深緑色系、赤色系、青色系もしくは紫色系の何れかであることを特徴とする請求項１記載のコピー牽制印刷物。
【請求項３】
前記牽制潜像部と非潜像部の濃度が、１５〜２５％の範囲を満たしていることを特徴とする請求項１乃至２のいずれか１項記載のコピー牽制印刷物。
【請求項４】
前記非潜像部を形成する万線パターンの線幅が、０．０６〜０．１ｍｍの範囲を満たしていることを特徴とする請求項１乃至３のいずれか１項記載のコピー牽制印刷物。
【請求項５】
前記牽制潜像部を形成する領域が、少なくとも７個のルーン文字でいうＳ字状、その逆Ｓ字状、アルファベットでいうＺ字状、Ｎ字状、逆Ｚ字状、または逆Ｎ字状の類のいずれかのパターンが要素であって、該要素を成す線のうち隣同志の線が成す角度が９０°以上である要素と、万線パターンの３組６本分に掛かる３列のルーン文字でいうＳ字状、その逆Ｓ字状、アルファベットでいうＺ字状、Ｎ字状、逆Ｚ字状、または逆Ｎ字状の類のいずれかのパターンが要素であって、該要素を成す線のうち隣り同志の線が成す角度が９０°以上である要素とからなることを特徴とする請求項１乃至４のいずれか１項記載のコピー牽制印刷物。
【請求項６】
前記非潜像部を形成する万線パターンおよび牽制潜像部を形成するパターン上に、砂目状の白抜きパターンもしくは文字、数字、記号および柄の連続パターンが施されていることを特徴とする請求項１乃至５のいずれか１項記載のコピー牽制印刷物。
【請求項７】
前記非潜像部と牽制潜像部とで、前記パターンを入替えてあることを特徴とする請求項１乃至５のいずれか１項記載のコピー牽制印刷物。
【発明の詳細な説明】
【技術分野】
【０００１】
本発明は、複写機による偽造防止印刷物に関するものであり、特に、カラーコピー機による偽造を不可能にする又は牽制するニーズがある印刷物、例えば株券等有価証券類、証明書類、カード類等々に適用されるコピー牽制印刷物に関するものである。
【背景技術】
【０００２】
近年、複写機、特にカラーコピー機の精度向上にしたがって、その普及が著しく、それを利用して株券、債券、商品券等有価証券類や各種証明書類の複写による偽造を容易にしている。
【０００３】
上記の複写による偽造を防止する手段として、有価証券類等そのものを複写困難なものとするか、あるいは複写が困難なものを、本物であることの証明として有価証券類等に貼り付ける方法がある。
【０００４】
前者の複写を困難にする方法としては、例えば、複写機等の光学機器では解像不可能な細かい文字やパターンの印刷物としたり、あるいは金属光沢インキや蛍光インキで印刷する方法が知られている。
【０００５】
しかしこれらの方法では、本物を知らない使用者が本物と偽物を区別して認識することが困難である恐れがあり、偽物を使用し続けるといった問題点があった。
【０００６】
また、後者の複写や複製が困難なものを貼り付ける方法としては、例えば、その代表例として、ホログラムを利用する（ホログラム箔を転写する）方法が知られている。
【０００７】
しかしながら、このホログラムは、複写での偽造は困難で偽造防止効果は高いが、ホログラムの作製には、高度な技術と高価な設備等によりコストが嵩むという難点があるものであった。
【０００８】
そこで使用者が本物と偽物の区別とその認識を容易にし、コストの面からも優位な複写防止方法の一つに、複写機で複写した場合、文字、パターン等が浮かび上がる印刷物があり、例えば、図７（ａ）に示すように、文字、パターン等でなる牽制潜像部（３０）とその背景となる非潜像部（４０）が、網点面積率が同じで、網点サイズ（線数）が異なるようにした複写防止印刷物（４）がある。
【０００９】
これは、本物の複写防止印刷物（４）における網点面積率が同じであれば、見た目では網点サイズの小さい（網点密度が大）牽制潜像部（３０）と網点サイズの大きい（網点密度が小）非潜像部（４０）は区別がつかず、これを複写すると、図７（ｂ）に示すように、トーナーを用いる電子複写機の複写による網点等の細る傾向（解像性が劣ること）を利用し、網点サイズの小さい牽制潜像部（３０）が背景となる非潜像部（４０）より網点面積％も小さくなり薄くなって浮かび上がって見える複写物（４ａ）となるものである。この牽制潜像部（３０）のパターンが、「にせもの」あるいは「ＶＯＩＤ」、「ＣＯＰＹ」とすることにより、明確に偽物であるとの認識が可能となり、より偽造防止効果を発揮する方法である。
【００１０】
しかしながら、このような網点サイズの差による複写防止方法による複写防止印刷物（４）では、目が慣れてくると牽制潜像部（３０）が視認し易くなるという問題点があり、さらにこの牽制潜像部（３０）は、ある程度の大きさの面積を必要とするため、その面積
を大きくすると、より一層視認し易くなり、これら技術を知っている者は偽造することも可能となるるという問題点があった。
【００１１】
また、使用者が本物と偽物の区別とその認識を容易にする他の複写防止方法に、背景となる非潜像部と文字等でなる牽制潜像部の両者が万線によって形成され、その万線が水平・垂直（ＶＨ）の関係で構成されていて、かつ牽制潜像部は非潜像部と異なる二本の分割線（スプリット）で表現されているもので、ＶＨスプリット万線方式と言われている印刷物がある。
【００１２】
このＶＨスプリット万線方式と言われている印刷物を複写機（カラーコピー機）で複写すると、背景となる非潜像部が、実物（被複写物）の刷色（濁色系）とは異なる黒（墨）色で表現され、文字等隠し模様となる牽制潜像部は、実物の刷色に近い色で再現されるようになるものであり、よって複写（カラーコピー）による偽物であるか本物であるかの判別が比較的容易な印刷物がある（例えば、特許文献１参照。）。
【００１３】
また、非潜像部と牽制潜像部のいずれかに直線か曲線を、他方には適当なマイクロ文字を配するが、マイクロ文字が前記直線か曲線のうち必ず１本の延長線上に並んでおり、隠し模様としての作用がやや劣る欠点があるものがある（例えば、特許文献２参照。）。
【００１４】
以下に、上記先行技術文献を示す。
【特許文献１】特開２００３−２３７２１１号公報
【特許文献２】米国特許第４８９１６６６号公報
【発明の開示】
【発明が解決しようとする課題】
【００１５】
しかしながら、上記前者のＶＨスプリット万線方式と言われている印刷物の従来技術においては、背景となる非潜像部と文字等でなる牽制潜像部を形成する万線が交差する関係にあり、そのため背景を形成する非潜像部と文字等でなる隠し模様となる牽制潜像部との境界が目立ち易くなるので、その交差部の際を（原版等で）修正処理する必要があり（細部の修正は極困難）、さらに牽制潜像部を四角の集合体で表現しているため、曲線部を階段状にして表現しなければならないという原版作製に煩雑（困難）さとコストが嵩むという問題点があった。
【００１６】
また、後者のＶＨスプリット万線方式と言われている印刷物の技術においては、上記のように、隠し模様の作用（原本では発見困難でコピー品では発見されない）に問題があった。
【００１７】
本発明は、かかる従来技術の問題点を解決するものであり、その課題とするところは、本物を知らない使用者でも本物と偽物（複写物）を容易に区別して認識することができ、またホログラムを貼りつける方法のように高度な技術と設備等によるコストが嵩むという問題がなく、さらに本物の隠し模様となる牽制潜像部が肉眼では視認しにくく、かつその製造（原版作製）に煩雑（困難）さがなく、それに纏わるコストが嵩まない複写機、特にカラーコピー機による複写による偽造を不可能にする偽造防止印刷物を提供することにある。
【課題を解決するための手段】
【００１８】
本発明に於いて上記課題を達成するために、まず請求項１の発明では、基材に、所定の幅とピッチの万線パターンでなる非潜像部と、該非潜像部を形成する万線パターンの任意
の領域に部分的に形成されて、且つその部分は該万線パターンではない隠し模様となる牽制潜像部と、を備えたコピー牽制印刷物において、前記牽制潜像部は、非潜像部を形成する万線パターンの１組２本分に掛かるルーン文字でいうＳ字状、その逆Ｓ字状、アルファベットでいうＺ字状、Ｎ字状、逆Ｚ字状、または逆Ｎ字状の類のパターンが要素であって、該要素を成す線のうち隣り同志の線が成す角度が９０°以上であり、複数個の該要素が並べられて構成され、前記非潜像部と同一又はほぼ同一の光学濃度になるように設けてあることを特徴とするコピー牽制印刷物としたものである。
【００１９】
上記でいうルーン文字とは、古代文字の一種で、ギリシャ文字から変形発達したものをいう。
【００２０】
また、請求項２の発明では、前記非潜像部を形成する万線パターンおよび牽制潜像部を形成するパターンの刷色が、深緑色系、赤色系、青色系もしくは紫色系の何れかであることを特徴とする請求項１記載のコピー牽制印刷物としたものである。
【００２１】
また、請求項３の発明では、前記牽制潜像部と非潜像部の濃度が、１５〜２５％の範囲を満たしていることを特徴とする請求項１乃至２のいずれか１項記載のコピー牽制印刷物としたものである。
【００２２】
また、請求項４の発明では、前記非潜像部を形成する万線パターンの線幅が、０．０６〜０．１ｍｍの範囲を満たしていることを特徴とする請求項１乃至３のいずれか１項記載のコピー牽制印刷物としたものである。
【００２３】
また、請求項５の発明では、前記牽制潜像部を形成する領域が、少なくとも７個のルーン文字でいうＳ字状、その逆Ｓ字状、アルファベットでいうＺ字状、Ｎ字状、逆Ｚ字状、または逆Ｎ字状の類のいずれかのパターンが要素であって、該要素を成す線のうち隣同志の線が成す角度が９０°以上である要素と、万線パターンの３組６本分に掛かる３列のルーン文字でいうＳ字状、その逆Ｓ字状、アルファベットでいうＺ字状、Ｎ字状、逆Ｚ字状、または逆Ｎ字状の類のいずれかのパターンが要素であって、該要素を成す線のうち隣り同志の線が成す角度が９０°以上である要素とからなることを特徴とする請求項１乃至４のいずれか１項記載のコピー牽制印刷物としたものである。
【００２４】
また、請求項６の発明では、前記非潜像部を形成する万線パターンおよび牽制潜像部を形成するパターン上に、砂目状の白抜きパターンもしくは文字、数字、記号および柄の連続パターンが施されていることを特徴とする請求項１乃至５のいずれか１項記載のコピー牽制印刷物としたものである。
【００２５】
さらにまた、請求項７の発明では、前記非潜像部と牽制潜像部とで、前記パターンを入替えてあることを特徴とする請求項１乃至５のいずれか１項記載のコピー牽制印刷物としたものである。
【発明の効果】
【００２６】
本発明は以上の構成であるから、下記に示す如き効果がある。
【００２７】
即ち、上記請求項１に係る発明によれば、基材に、所定の幅とピッチの万線パターンでなる非潜像部と、該非潜像部を形成する万線パターンの任意の領域に部分的に形成されて、且つその部分は該万線パターンではない隠し模様となる牽制潜像部と、を備えたコピー牽制印刷物において、前記牽制潜像部は、非潜像部を形成する万線パターンの１組２本分に掛かるルーン文字でいうＳ字状、その逆Ｓ字状、アルファベットでいうＺ字状、Ｎ字状、逆Ｚ字状、または逆Ｎ字状の類のパターンが要素であって、該要素を成す線のうち隣り
同志の線が成す角度が９０°以上であり、複数個の該要素が並べられて構成されているので、従来のＶＨスプリット万線方式のような、交差部の画線の際処理や曲線部が階段状にならない等で原版作製のコストが低減され、複写、特にカラーコピーをすると非潜像部を形成する万線パターンが黒（墨）色で表現され、牽制潜像部を形成する複数個のルーン文字でいうＳ字状、その逆Ｓ字状、あるいはアルファベットでいうでいうＺ字状、Ｎ字状、逆Ｚ字状、または逆Ｎ字状の要素であって、これら要素を成す線成す線のうち隣り同志の線が成す角度が９０°以上である要素は複写前の刷色に近い色で再現されて浮き上って視認されるようになるので、本物と複写物とが容易に認識されるコピー牽制印刷物とすることができる。
【００２８】
また、隠し模様となる牽制潜像部が、背景となる非潜像部と同一又はほぼ同一の光学濃度になるように設けてあることによって、肉眼では牽制潜像部の存在の視認が困難なコピー牽制印刷物とすることができる。
【００２９】
また、上記請求項２に係る発明によれば、非潜像部を形成する万線パターンおよび牽制潜像部を形成するパターンの刷色が、深緑色系、赤色系、もしくは紫色系とすることによって、複写、特にカラーコピーすると、背景となる非潜像部を形成する細い万線パターンでは、深緑色系、赤色系、青色系もしくは紫色系の刷色を構成する黄、マゼンタ、シアンが再現されにくく、墨色で表現されるようになり、これに対し、隠し模様となる牽制潜像部では、複数個が複数列配列されているルーン文字でいうＳ字状、その逆Ｓ字状、あるいはアルファベットでいうットでいうＺ字状、Ｎ字状、逆Ｚ字状、または逆Ｎ字状であって、これらの文字状を成す線のうち隣り同志の線が成す角度が９０°以上であるパターンが１つの面として捉えられるので、複写前の刷色に近い色で再現されるようになる。
【００３０】
よって、墨（黒）色系の背景となる非潜像部に深緑色系、赤色系、青色系もしくは紫色系の牽制潜像部が浮かび上がって視認されるようになり、本物と複写物とが容易に認識されるコピー牽制印刷物とすることができる。
【００３１】
さらにまた、従来のＶＨスプリット万線方式に比べ、赤色系の牽制潜像部とすることもでき、デザイン性の自由度を向上させることもできる。
【００３２】
また、上記請求項３に係る発明によれば、牽制潜像部と非潜像部の濃度を、１５〜２５％の範囲を満たすようにすることによって、複写（カラーコピー）するとより非潜像部を形成する細い万線パターンが複写前に比べより濃く再現され、牽制潜像部を形成する複数個が複数列配列されているルーン文字でいうＳ字状、その逆Ｓ字状、あるいはアルファベットでいうットでいうＺ字状、Ｎ字状、逆Ｚ字状、または逆Ｎ字状の要素であって、これら要素の成す線のうち隣り同志の線が成す角度が９０°以上であるパターンが複写前の濃度に近く再現されるので、より浮き上がって視認されるようになる。また、両者の濃度を１５〜２５％の範囲、即ち比較的淡くすることによってこれら牽制潜像部と非潜像部の上に柄、文字（地紋）等の印刷を施してデザイン性の向上などにも寄与することができるようになる。
【００３３】
上記牽制潜像部と非潜像部の濃度が１５％に満たないと、全体に淡くなるので複写（カラーコピー）されても牽制潜像部と非潜像部とに差が少なくなり、逆に両者の濃度が２５％を越えると複写後の牽制潜像部が背景の非潜像部に溶け込み、牽制潜像部が視認しにくくなり、さらに全体的に濃度が高くなるので、これら牽制潜像部と非潜像部の上に柄、文字（地紋）等の印刷を施してもそれらが目立たなくなり、デザイン的にも好ましくないものとなる。
【００３４】
また、上記請求項４に係る発明によれば、非潜像部を形成する万線パターンの線幅が、
０．０６〜０．１ｍｍの範囲を満たしているようにすることによって、複写、特にカラーコピーをすると非潜像部を形成する万線パターンが黄、マゼンタ、シアンで再現されにくく黒（墨）色で再現されるようになり、牽制潜像部を形成する複数個のルーン文字でいうＳ字状、その逆Ｓ字状、あるいはアルファベットでいうでいうＺ字状、Ｎ字状、逆Ｚ字状、または逆Ｎ字状の要素であって、これら要素を成す線のうち隣り同志の線が成す角度が９０°以上であるパターンは複写前の刷色に近い色で再現されてより浮き上って視認されやすいコピー牽制印刷物とすることができる。
【００３５】
上記万線パターンの線幅が０．０６ｍｍに満たないと、印刷物の万線パターンに再現性がなくなり（再現が困難になり）、逆に０．１ｍｍを越えると、複写された万線パターンが深緑色系、赤色系、青色系もしくは紫色系の黄、マゼンタ、シアンをも再現し、複写前の刷色に近い色となり、牽制潜像部と区別が付かなくなるので好ましくない。
【００３６】
また、上記請求項５に係る発明によれば、牽制潜像部を形成する領域を、少なくとも７個のルーン文字でいうＳ字状、その逆Ｓ字状、あるいはアルファベットでいうＺ字状、Ｎ字状、逆Ｚ字状、または逆Ｎ字状の要素であって、これら要素を成す線のうち隣り同志の線が成す角度が９０°以上であるパターンと、万線パターンの３組６本分に掛かる３列のＺ字状、Ｎ字状、逆Ｚ字状、または逆Ｎ字状であって、これらの文字状を成す線のうち隣り同志の線が成す角度が９０°以上であるパターンとからなるようにすることによって、複写、特にカラーコピー後の牽制潜像部がより浮かび上がって視認し易くなるコピー牽制印刷物とすることができる。
【００３７】
上記牽制潜像部を構成する領域が７個のルーン文字でいうＳ字状、その逆Ｓ字状、あるいはアルファベットでいうＺ字状、Ｎ字状、逆Ｚ字状、または逆Ｎ字状の要素であって、これら要素を成す線のうち隣り同志の線が成す角度が９０°以上であるパターンと３列のルーン文字でいうＳ字状、その逆Ｓ字状、あるいはアルファベットでいうＺ字状、Ｎ字状、逆Ｚ字状、または逆Ｎ字状の要素であって、これら要素成す線のうち隣り同志の線が成す角度が９０°以上であるパターンに満たないと、牽制潜像部が小さ過ぎて複写されても視認しにくくなり、本物か複写物かの判別がつかなくなるので好ましくないコピー牽制印刷物となる。
【００３８】
また、上記請求項６に係る発明によれば、背景となる非潜像部を形成する万線パターンおよび隠し模様となる牽制潜像部を形成するパターン群上に、砂目状の白抜きパターンもしくは文字、数字、記号および柄の連続パターンが設けられていることによって、複写前の非潜像部と牽制潜像部とが肉眼ではより視認しにくくしたコピー牽制印刷物とすることができる。
【００３９】
さらにまた、上記請求項７に係る発明によれば、非潜像部と牽制潜像部とで、前記パターンを入替えてあることによって、デザイン的にも自由度を向上させ、偽造防止を求める用途をもさらに広げることのできるコピー牽制印刷物を提供できる効果がある。
【００４０】
従って本発明は、複写、特にカラーコピーによる偽造を防止する印刷物として、株券等各種有価証券類、証明書、カード等の如き偽造を防止を求める用途において、優れた実用上の効果（特にコピーによる偽造防止や牽制）を発揮するものである。
【発明を実施するための最良の形態】
【００４１】
以下本発明を実施するための最良の形態を図面を用いて詳細に説明する。
【００４２】
図１は、本発明のコピー牽制印刷物（１）とその拡大平面図であり、図２および図７は、本発明のコピー牽制印刷物（１）の他の事例の平面図である。また、図３および図４は
、本発明のコピー牽制印刷物を構成する牽制潜像部（１０）の事例の拡大図であり、図５および図６は、本発明のコピー牽制印刷物の複写物（２）の一事例を表らわす平面図である。
【００４３】
本発明は、例えば、図１（ａ）の平面図に示すように、背景となる非潜像部（２０）と、その非潜像部（２０）の任意の領域に、隠し模様（例えば「ＣＯＰＹ」）となる牽制潜像部（１０）とで構成されているコピー牽制印刷物（１）である。
【００４４】
上記請求項１に係る発明では、例えば、図１（ａ）の平面図に示すように、基材（５０）の表面に、背景となる非潜像部（２０）と、その一領域に隠し模様（図面では「ＣＯＰＹ」という文字があるが、説明上視認可能なようにしてある）である牽制潜像部（１０）とで構成されているコピー牽制印刷物（１）で、この図１（ａ）の拡大図として、図１（ｂ）の平面図に示すように、その非潜像部（２０）は、所定の幅（Ｗ）とピッチ（Ｐ）でなる万線パターンで形成され、その非潜像部（２０）の一領域にある牽制潜像部（１０）は、非潜像部（２０）を形成する万線パターンの１組２本分に掛かるように複数個のルーン文字でいうＳ字状のパターンが複数列の配設で形成されているコピー牽制印刷物（１）とするものである。
【００４５】
上記牽制潜像部（１０）を形成するパターンとして、例えば、図３（ａ）の拡大平面図に示すように、複数個のルーンＳ字状パターン（１０ａ）とする他に、例えば、図３（ｂ）に示すように、ルーン文字でいう逆Ｓ字状パターン（１０ｂ）とすることもできる。さらには、図示しないが、複数個のアルファベットでいうＺ字状パターンまたは逆Ｚ字状パターン、あるいはアルファベットでいうＮ字状、その逆Ｎ字状とすることができる。
【００４６】
上記のように、牽制潜像部（１０）を形成するパターンの要素は、アルファベットでいうＺ字状、Ｎ字状、逆Ｚ字状、逆Ｎ字状、あるいはルーン文字でいうＳ字状、その逆Ｓ字状とし、例えば図４に示すように、ルーン文字でいうＳ字状パターン（１０ａ）をその成す線のうち隣り同志の線が成す角度（α）を９０°以上であるパターンとすることが好ましく、より好ましくは曲線を含まず直線のみで構成されていることによって、牽制潜像部を隠す効果が優れるようにすることができる。
【００４７】
このように、隣り同志の線が成す角度（α）を９０°以上であることによって、要素の形状は、伸びたような形状を呈する。この伸びのおおよその方向が万線パターンの線の方向とおおよそ交差する方向（好ましくはおおよそ直交する方向）に要素を配置するようにするものである。
【００４８】
また、上記請求項２に係る発明では、例えば、図１（ａ）に示すように、非潜像部（２０）を形成する万線パターンおよび牽制潜像部（１０）を形成するパターンの刷色が、深緑色系、赤色系、もしくは紫色系の何れかとすることによって、複写、特にカラーコピーすると、背景となる非潜像部を形成する細い万線パターンでは、深緑色系、赤色系、青色系もしくは紫色系のいずれかの刷色を構成する黄、マゼンタ、シアンが再現されにくく、その分を補足して墨色で表現されるようになり、一方隠し模様（ＣＯＰＹ）となる牽制潜像部（１０）では、複数個が複数列配列されている逆Ｎ字状のパターンが１つの面として捉えられるので、複写前の刷色に近い色で表現されるようになる。よって墨（黒）色系の背景となる非潜像部（２０）に深緑色系の牽制潜像部（１０）が「ＣＯＰＹ」という文字となって浮かび上がり、本物を知らない使用者でも明確に複写物であることが認識されるようになる。
【００４９】
上記非潜像部（２０）を形成する万線パターンおよび牽制潜像部（１０）を形成するパターンの刷色を、上記のようにし、さらに好ましくは、彩度の低いものか、濁色系のもの
、最も好ましくは彩度の低い濁色系のものとすることができる。
【００５０】
このように、各パターンを彩度の低い濁色系とすることによって、この印刷物（１）をカラーコピーすると、例えば、図５の平面図に示すように、背景となる非潜像部（２０）を形成する細い万線パターンは、濁色を構成する黄、マゼンタ、シアンがより再現されにくくなり、よってその分を補足するように墨色で表現されるようになり、一方隠し模様（ＣＯＰＹ）となる牽制潜像部（１０）では、複数個が複数列配列されているルーン文字でいうＳ字状のパターン（１０ａ）が１つの面として捉えられるので、複写前の刷色に近い色で表現されるようになる。よって墨（黒）色系の背景となる非潜像部（２０）に深緑色系の牽制潜像部（１０）が「ＣＯＰＹ」という文字となって浮かび上がり、本物を知らない使用者でも明確に複写物（２）であることが認識されるようになる。
【００５１】
上記非潜像部（２０）を形成する万線パターンおよび牽制潜像部（１０）を形成するパターンの刷色として、深緑色系の他、従来のＶＨスプリット万線方式では不可能であった赤色系でも上記のような効果が現れ、デザイン性に幅を持たせることができる。
【００５２】
また、上記請求項３に係る発明では、例えば、図１（ａ）に示すように、牽制潜像部（１０）と非潜像部（２０）の濃度が、ほぼ同一（説明上牽制潜像部（１０）の「ＣＯＰＹ」が濃くしてある）で、１５〜２５％の範囲を満たしているようにしたもので、さらに、上記請求項４に係る発明では、図３（ａ）に示すように、非潜像部を形成する万線パターン（２０ａ）の線幅（Ｗ）が、０．０６〜０．１ｍｍの範囲を満たしているようにしたものである。
【００５３】
上記牽制潜像部（１０）と非潜像部（２０）の適正濃度と非潜像部を形成する万線パターン（２０ａ）の線幅（Ｗ）との関係を、具体的に説明すると、例えば、図３（ａ）に示すように、非潜像部（２０）を形成する万線パターン（２０ａ）の線幅（Ｗ）を０．０８ｍｍ、ピッチ（Ｐ）を０．４ｍｍとすると、その濃度は約２０〜２２％の範囲であり、牽制潜像部を形成する複数個のルーン文字でいうＳ字状パターン群（１０ａ）の線幅を０．０５ｍｍ、縦送りピッチ（ＴＰ）を０．８ｍｍ、横送りピッチ（ＹＰ）を０．２７５〜０．２８５ｍｍとすると、その濃度は、約１８〜１９％の範囲であった。
【００５４】
上記のように、背景となる非潜像部（２０）の濃度を隠し模様となる牽制潜像部（１０）の濃度より僅かに高く設定すると、複写後の複写物は、より濃度差と刷色の差が大きくなり、偽造防止効果が高いコピー牽制印刷物（１）とすることができる。
【００５５】
また、上記請求項５に係る発明では、例えば、図３（ａ）の拡大図に示すように、牽制潜像部（１０）を形成する領域が、少なくとも７個のＳ字状パターン（１０ａ）と、万線パターン（２０ａ）の３組６本分に掛かる逆Ｎ字状パターン（１０ａ）の３列とからなるようにしたものである。
【００５６】
このように、最小でも水平に７個で垂直に３列の逆Ｎ字状パターン（１０ａ）とからなる牽制潜像部（１０）とすることによって、この部分を複写、特にカラーコピーすると、例えば、図６（ａ）の実物大の平面図に示すように、牽制潜像部（１０）が浮かび上がって視認できる最小限度の大きさとするものである。
【００５７】
この牽制潜像部（１０）を水平に１０個で垂直に４列のルーン文字でいうＳ字状パターン群（１０ａ）とすると、図６（ｂ）の実物大の平面図に示すように、牽制潜像部（１０）がさらに大きくなり浮かび上がって視認し易くなり、さらにこの牽制潜像部（１０）を水平に１３個で垂直に５列のルーン文字でいうＳ字状パターン群（１０ａ）とすると、図６（ｃ）の実物大の平面図に示すように、牽制潜像部（１０）がさらに大きくなりより視
認し易くなる。
【００５８】
上記牽制潜像部（１０）の大きさが、水平に７個で垂直に３列のルーン文字でいうＳ字状パターン群（１０ａ）に満たないと、カラーコピーされても小さ過ぎて視認しにくくなり、本物か複写物かの判別がつかなくなるので好ましくないものとなる。
【００５９】
また、請求項６に係る発明では、例えば、図２（ａ）の平面図に示すように、背景となる非潜像部（２０）を形成する万線パターンと隠し模様となる牽制潜像部（１０）を形成するパターン上に、砂目状の白抜きパターン（２２）が施されているコピー牽制印刷物（１）としたもので、この砂目状の白抜きパターン（２２）によって、隠し模様となる牽制潜像部（１０）の存在がより視認しにくくしたものである。
【００６０】
因みに上記砂目状の白抜きパターン（２２）が施されたコピー牽制印刷物（１）を複写すると、図２（ｂ）の平面図に示すように、背景となる非潜像部（２０）に、牽制潜像部（１０）の「ＣＯＰＹ」の文字が浮かび上がって見えるようになる砂目状の白抜きパターン（２２）が施された複写物（２）となる。
【００６１】
さらにまた、請求項６に係る発明では、例えば、図７（ａ）の平面図に示すように、背景となる非潜像部（２０）を形成する万線パターンと隠し模様となる牽制潜像部（１０）を形成する複数個で複数列のルーン文字でいうＳ字状のパターン上に、文字の連続パターン（２４）が施されている複写機による偽造防止印刷物（１）としたもので、この文字の連続パターン（２４）でなる地紋によって、隠し模様となる牽制潜像部（１０）の存在がより視認しにくくしたものである。
【００６２】
因みに上記文字の連続パターン（２４）でなる地紋が施されたコピー牽制印刷物（１）を複写すると、図７（ｂ）の平面図に示すように、背景となる非潜像部（２０）に、牽制潜像部（１０）の「ＣＯＰＹ」の文字が浮かび上がって見えるようになる文字の連続パターン（２４）でなる地紋が施された複写物（２）となる。
【００６３】
また、上記請求項７では、例えば、図１に示す牽制潜像部（１０）である「ＣＯＰＹ」を万線パターンで形成し、また、万線パターンで形成されている背景部の非潜像部（２０）をルーン文字でいうＳ字状のパターンでなるように、パターンをそれぞれ入れ替えたものとすることもできる。
【００６４】
上記連続パターン（２４）としては、文字の他に、数字、記号あるいは柄（絵等）とすることもでき、この連続パターン（２４）によって、デザイン効果をも付加することができる。
【００６５】
以上のように、本発明のコピー牽制印刷物は、株券、債券、商品券、ギフトカード等有価証券類、印鑑登録証等証明書類、カード、その他ゴミ処理券、等に利用することができ、優れた実用上の効果を発揮するものである。
【図面の簡単な説明】
【００６６】
【図１】本発明のコピー牽制印刷物の一事例を説明するもので、（ａ）は、その平面図であり、（ｂ）は、（ａ）の部分拡大図である。
【図２】本発明のコピー牽制印刷物の他の事例を説明するもので、（ａ）は、その平面図であり、（ｂ）は、（ａ）の複写物の平面図である。
【図３】本発明のコピー牽制印刷物の部分拡大図で、（ａ）は、その牽制潜像部を形成するパターンの一事例を示すもので、（ｂ）は、牽制潜像部を形成するパターンの他の事例を示すものである。
【図４】本発明のコピー牽制印刷物を構成する牽制潜像部を形成するパターンの一事例の拡大図である。
【図５】本発明のコピー牽制印刷物の複写物の一事例を表す平面図である。
【図６】本発明のコピー牽制印刷物の一事例を表す平面図であり、（ａ）は、牽制潜像部の最小サイズの場合の複写物であり、（ｂ）は、牽制潜像部が１０個と４列でなる場合の複写物であり、（ｃ）は、牽制潜像部が１３個と５列でなる場合の複写物である。
【図７】本発明のコピー牽制印刷物のさらに他の事例を説明するもので、（ａ）は、その平面図であり、（ｂ）は、（ａ）の複写物の平面図である。
【図８】従来の複写防止印刷物の一事例を表す平面図であり、（ａ）は、本物であり、（ｂ）は、（ａ）の複写物である。
【符号の説明】
【００６７】
１‥‥コピー牽制印刷物
２‥‥コピー牽制印刷物の複写物
４‥‥網点サイズが異なる複写防止印刷物
４ａ‥‥複写防止印刷物の複写物
１０‥‥牽制潜像部
１０ａ‥‥ルーン文字のＳ字状パターン
１０ｂ‥‥ルーン文字の逆Ｓ字状パターン
２０‥‥非潜像部
２０ａ‥‥万線パターン
３０‥‥網点サイズの小さい牽制潜像部
４０‥‥網点サイズの大きい非潜像部
５０‥‥基材
Ｐ‥‥万線パターンのピッチ
Ｗ‥‥万線パターンの線幅
ＴＰ‥‥Ｓ字状パターンの縦送りピッチ
ＹＰ‥‥Ｓ字状パターンの横送りピッチ
α‥‥文字状の成す隣同志の線の成す角度
【図１】
2006205625.tif 000003
【図２】
2006205625.tif 000004
【図３】
2006205625.tif 000005
【図４】
2006205625.tif 000006
【図５】
2006205625.tif 000007
【図６】
2006205625.tif 000008
【図７】
2006205625.tif 000009
【図８】
2006205625.tif 000010